(57)【要約】【課題】自動販売機の修理等での作業性を低下させることなく、いたずらを抑制できる。【解決手段】突出部２１を有した連結ヒンジ１２と本体回転軸１８と扉回転軸２０と回転を固定する結合部材１５を備えたことにより、通常使用時は扉回動軸２０を中心に扉２は開閉するが、修理時は締結手段を解除することにより本体回転軸１８を中心に扉３が開閉して、扉が全開状態にでき、本体２の内側に扉３が出っ張ることがなく本体２に構成されている部品等を容易に取り外し可能になり、修理作業効率を向上できる。【選択図】図１
2005182126.tif 000002
【特許請求の範囲】
【請求項１】
自動販売機の扉を回動開閉可能にするヒンジ装置において、前記自動販売機の本体と結合する本体結合部と前記扉と結合する扉結合部を有しかつ前記本体結合部と扉結合部の間に自動販売機の内側に向かう突出部を有した連結ヒンジと前記本体結合部を回動可能にする本体回動軸と前記扉結合部を回動可能にする扉回動軸と前記本体結合部の回動を固定する結合部材を設けたことを特徴とする自動販売機のヒンジ装置。
【請求項２】
自動販売機の扉を回動開閉可能にするヒンジ装置において、連結ヒンジの後端部には本体と締結手段で取外し可能に固定され、又、中央部には本体回転軸に回動可能な回動結合部材を備えられ、前期回動結合部材は前記連結ヒンジの回動を止めるように固定されたことを特徴とする請求項１記載の自動販売機のヒンジ装置。
【請求項３】
自動販売機の扉を回動開閉可能にするヒンジ装置において、連結ヒンジを固定する脱着結合部材を備えられており、脱着結合部材は本体と当接する本体当接部を設け、取外し可能した請求項１に記載の自動販売機のヒンジ装置。
【請求項４】
自動販売機の扉を回動開閉可能にするヒンジ装置において、連結ヒンジは回転かつ前後に移動可能な移動本体軸と前記移動本体軸を固定する本体軸固定部材と前記連結ヒンジ本体結合部後方に本体と係止する本体結合部を備えた請求項１の自動販売機のヒンジ装置。
【請求項５】
自動販売機の扉を回動開閉可能にするヒンジ装置において、連結ヒンジの扉結合部は回転かつ前後に移動可能な移動扉軸と前記移動扉軸を固定する軸固定部材を備えたことを特徴とした請求項１の自動販売機のヒンジ装置。
【請求項６】
自動販売機の扉を回動開閉可能にするヒンジ装置において、請求項１〜５のいずれかヒンジ装置と合わせ、前記ヒンジ装置の下部位置に前記本体内側に取付け固定され取外し可能な本体固定部と前記扉回転軸と前記本体結合部との間に自動販売機の内側に向かう突出部を有した連結補助ヒンジを備えたことを特徴とした請求項１の自動販売機のヒンジ装置。
【発明の詳細な説明】
【技術分野】
【０００１】
本発明は、商品収納庫内にサーペンタイン等の商品収納コラムを挿脱自在に設けた自動販売機に関するものである。
【背景技術】
【０００２】
従来、この種の自動販売機のヒンジ装置としては、例えば、扉内側に取付け固定される本体取付部と、扉回動軸と結合する結合部と、自動販売機の内側に迂回する迂回部を備えたものがあった。（特許文献１参照）。図１４は前記文献に記載した従来の自動販売機のヒンジ装置を取付けた自動販売機の正面図である。自動販売機１は本体２の前面に開閉する扉３を備え、扉３は自動販売機１内側に配設された自動販売機のヒンジ装置４にて本体２に連結されている。また、扉３の上方には断熱扉４が取付けられており扉３と一緒に開閉動作する。図１５は扉３の開閉動作を示す平面図である。自動販売機のヒンジ装置５は扉軸受け部６と、前記軸受け部６に上方から挿入されて回動可能に支持された扉回動軸７と、本体２の左側端前部の補強部材８と連結する連結ヒンジ部９を備えて構成されている。また、前記連結ヒンジ部９と扉軸受け部６との間に自動販売機の内側に迂回するように湾曲した迂回部１０が形成されており、迂回部１０は扉側面後端部２ａの回転軌跡よりも自動販売機１の内側に迂回するように形成されていた。
【特許文献１】特開２００２−１５０３８７号公報
【発明の開示】
【発明が解決しようとする課題】
【０００３】
しかしながら、従来の構成では、通常の使用状態（販売商品を充填する等）では課題はないが、自動販売機の故障等の際は、扉３の開閉が全開状態まで開かないため、扉３に取付けてある断熱扉４がヒンジ装置５より自動販売機１の内側に突出するため、本体２の構成部品の取り外し及び修理が困難であるという課題を有していた。
【０００４】
一方、上記構成で扉３を全開しようとすると、ヒンジ装置５の迂回部１０をさらに内側の迂回するようにする必要があり、そうすれば、その分、扉３の前後の厚みが厚くなり、自動販売機の設置スペースが大きくなる課題もあった。
【０００５】
本発明は、上記従来課題を解決するもので、自動販売機の修理等時には、ヒンジ装置も扉の開閉に合わせ回動して、ヒンジ装置の目的を損なえることなく、扉を全開状態可能させるものである。
【課題を解決するための手段】
【０００６】
前記従来の課題を解決するために、本発明の自動販売機のヒンジ装置は本体との連結部に回動軸を設けたものである。これによって、扉の開閉に合わせてヒンジ装置も回動して扉の開閉を全開状態させたものである。
【０００７】
また、本発明の自動販売機のヒンジ装置は、本体及び扉の回動軸が前後に移動可能に設けたものである。これによって、扉の開閉状態に合わせて扉自身が移動することにより、扉の内側への突出をなくすものである。
【発明の効果】
【０００８】
本発明の自動販売機のヒンジ構造は、本来の目的を損なえることなく、修理時等に扉が全開でき、自動販売機の内側に突出することなく修理作業の効率化、簡素化することができる。
【発明を実施するための最良の形態】
【０００９】
請求項１に記載の発明は、突出部を有した連結ヒンジと本体回転軸と扉回転軸と回転を固定する結合部材を備えたことにより、修理時は固定を解除することにより本体回転軸が回動して、扉が全開状態にでき、作業効率を向上できる。
【００１０】
請求項２に記載の発明では、請求項１記載の発明において、回動可能な回動結合部材を備えたことにより、本体回転軸が回動して扉が全開できると同時に、回動結合部材も回転して自動販売機の内側への突出もなくなり、修理作業の効率化が向上できる。
【００１１】
請求項３に記載の発明では、請求項１に記載の発明において、取外し可能な脱着結合部材を設けることにより、本体回転軸が回動して扉が全開できると同時に、結合部材自身も取外されるため、修理作業の効率化が向上できる。
【００１２】
請求項４に記載の発明では、請求項１に記載の発明において、前後移動可能な移動本体軸と本体と係止する係止部を設けた連結ヒンジを備えることにより、修理は連結ヒンジを前側に移動することにより、本体との係止が解除され本体回転軸が回動して、扉が全開状態にでき、作業効率を向上できる。
【００１３】
請求項５に記載の発明では、請求項１に記載の発明において、扉結合部を回転かつ前後に移動可能な移動扉軸を備えることにより、扉開閉の通常使用状態から、扉を前後に移動することにより、自動販売機の内側への突出はなくなり、扉を全開状態にすることをしなくても、修理作業の効率が向上できる。
【００１４】
請求項６に記載の発明では、請求項１から請求項５のいづれか一項に記載の発明において、ヒンジ装置の下部（自動販売機の中央部）に、本体は取外し可能であり自動販売機の内側に突出した突出部を設けた連結補助ヒンジを備えることにより、修理時は連結補助ヒンジを取外すことにより作業効率を向上すると共に、扉のガタツキによる下がりや強度がより向上できる。
【００１５】
以下、本発明の実施の形態について、図面を参照しながら説明するが、従来例と同一構成部分は同一符号を用いて示すとともに、その説明を省略する。なお、この実施の形態によって本発明が限定されるものではない。
【００１６】
（実施の形態１）
図１〜図３は、本発明の実施の形態１における自動販売機のヒンジ装置の横断面図を示すものである。
【００１７】
図１において、自動販売機１の本体２の前面に開閉する扉３を備えられている。扉３にはヒンジ装置１１によって本体２と連結されている。ヒンジ装置１１は扉２と本体１とを連結する連結ヒンジ１２が備えられている。連結ヒンジ１２の本体２及び扉３側がそれぞれカール部１３、１４が備えられている。本体２側には結合部材１５が備えられ、前記連結ヒンジ１２のカール部１３と同位置にある本体軸受け部１６（本図ではカール部）と、前記連結ヒンジ１２とを結合可能な結合部１７が備えられ、本体２に取付けられている。連結ヒンジ１２の本体側カール部１３と結合部材１５の軸受け部１６には回動可能状態に本体回動軸１８で軸止されている。一方、連結ヒンジ１２の扉側カール部１４と同位置にくるように扉軸受け部１９が取付けられており、同様に、回動可能に扉回動軸２０で軸止されている。連結ヒンジ１２の本体カール部１３と扉カール部１４の間には自動販売機１の内側に湾曲した突出部２１か形成されている。連結ヒンジ１２の突出部２１の後側付近と結合部材１５の結合部１７は締結手段であるビス等で脱着可能に結合されている。
【００１８】
以上のように構成された自動販売機のヒンジ装置の動作について説明する。図２は通常の使用状態を示す断面図であり、自動販売機１に販売商品を充填する作業等の扉３を開く際は、扉３の後端部２２が連結ヒンジ１２の突出部２１の当接するまで扉回転軸２０を中心に開閉する。突出部２１は開閉時の扉３の後端部２２の回転奇跡２３よりも自動販売機１の内側に来るよう形成されている。
【００１９】
次に、図３は故障時等の扉を全開した状態を示す断面図であり、締結手段を外すことにより、結合部１７が連結ヒンジ１２から離れることにより、扉３と連結ヒンジ１２が本体回動軸１８中心に開閉して扉３は全開状態にすることができる。
【００２０】
以上のように、本実施の形態においては、突出部２１を有した連結ヒンジ１２と本体回転軸１８と扉回転軸２０と回転を固定する結合部材１５を備えたことにより、通常使用時は扉回動軸２０を中心に扉２は開閉するが、修理時は締結手段を解除することにより本体回転軸１８を中心に扉３が開閉して、扉が全開状態にでき、本体２の内側に扉３が出っ張ることがなく本体２に構成されている部品等を容易に取り外し可能になり、修理作業効率を向上できる。
【００２１】
（実施の形態２）
本発明の実施の形態２における自動販売機のヒンジ装置について図３〜図６を参照して説明する。
【００２２】
図４〜図５は、本発明の実施の形態２における自動販売機のヒンジ装置の横断面図を示すものである。
【００２３】
図４において、扉３はヒンジ装置２４によって本体２と連結されている。ヒンジ装置２４は扉２と本体１とを連結する連結ヒンジ１２が備えられている。本体２側には連結ヒンジ１２のカール部１３と同位置にある本体軸受け部１６（本図ではカール部）が備えられている。前記連結ヒンジ１２と結合可能な結合部２５と、本体２に固定可能な本体固定部２６が備えられた回動結合部材２７が取付けられている。回動固定部材２５の中央部は回動可能な状態に本体固定軸１８で軸止されている。連結ヒンジ１２の突出部２１の後側付近と回動結合部材２７の結合部２５及び本体固定部２６は締結手段２８であるビス等で脱着可能に結合されている。
【００２４】
以上のように構成された自動販売機のヒンジ装置の動作について説明する。
【００２５】
図５は故障時等の扉を全開した状態を示す断面図であり、締結手段を外すことにより、結合部２５が連結ヒンジ１２から離れることにより、扉３と連結ヒンジ１２が本体回動軸１８中心に開閉して扉３は全開状態にすることができる。一方、本体固定部２６の締結手段を外すことにより、回動結合部材２７も本体固定軸１８を中心の回転することにより、自動販売機１の内側への出っ張りを最小限にすることが可能をなる。
【００２６】
以上のように、本実施の形態においては、回動可能な回動結合部材２７を備えたことにより、通常使用時は扉回動軸２０を中心に扉３は開閉するが、修理時は締結手段を解除することにより本体回転軸１８を中心に扉３が開閉して、扉が全開状態にできると同時に回動結合部材２７も本体回動軸１８を中心に回転することにより、本体２の内側に扉３と回動結合部材２７の出っ張ることがなく本体２に構成されている部品等を容易に取り外し可能になり、修理作業効率を向上できる。
【００２７】
（実施の形態３）
本発明の実施の形態３における自動販売機のヒンジ装置について図６〜図７を参照して説明する。
【００２８】
図６〜図７は、本発明の実施の形態３における自動販売機のヒンジ装置の横断面図を示すものである。
【００２９】
図６において、扉３はヒンジ装置２９によって本体２と連結されている。ヒンジ装置２９は扉２と本体１とを連結する連結ヒンジ１２が備えられている。本体２側には連結ヒンジ１２のカール部１３と同位置にある本体軸受け部１６（本図ではカール部）が備えられている。前記連結ヒンジ１２と結合可能な結合部３０と、連結ヒンジ１２の本体回転軸１８より後ろで本体２に当接される本体当接部３１と本体回転軸１８より前で本体に当接される当接部３２が備えられた脱着結合部材３３が取付けられている。連結ヒンジ１２の突出部２１の後側付近と脱着結合部材３３の結合部３０は締結手段２８であるビス等で脱着可能に結合されている。
【００３０】
以上のように構成された自動販売機のヒンジ装置の動作について説明する。
【００３１】
図７は故障時等の扉を全開した状態を示す断面図であり、締結手段を外し脱着結合部材３３を取外すことにより、扉３と連結ヒンジ１２が本体回動軸１８中心に開閉して扉３は全開状態にすることができる。一方、本体固定部３３は取外しているため、自動販売機１の内側への出っ張りを最小限にすることが可能をなる。
【００３２】
以上のように、本実施の形態においては、取外し可能な脱着結合部材３３を備えたことにより、通常使用時は扉回動軸２０を中心に扉３は開閉するが、修理時は締結手段を解除してすることにより脱着結合部材３３を取外すことで、本体回転軸１８を中心に扉３が開閉して、扉が全開状態にできると同時に、本体２の内側に出っ張ることがなく本体２に構成されている部品等を容易に取り外し可能になり、修理作業効率を向上できる。
【００３３】
（実施の形態４）
本発明の実施の形態４における自動販売機のヒンジ装置について図８〜図１０を参照して説明する。
【００３４】
図８〜図９は、本発明の実施の形態４における自動販売機のヒンジ装置の横断面図を示すものである。
【００３５】
図８において、扉３にはヒンジ装置３４によって本体２と連結されている。ヒンジ装置３４は扉２と本体１とを連結する連結ヒンジ３５が備えられている。前記連結ヒンジ３５の本体側にはカール部３６と本体２とを固定する本体固定部３７を備えている。又、連結ヒンジ３４のカール部３６と同位置にある本体軸受け部３８と、前記連結ヒンジ３５のカール部３６は移動本体軸３９で固定されている。また、本体軸受け部３８は移動本体軸３９を前方向に移動可能である長穴４０を有している。連結ヒンジ３５の本体固定部３７は本体２の補強部材の角穴４１に差し込まれており、この状態では回転しないようになっている。本体２には、移動本体軸３８が前に移動しないような本体軸固定部材４２があり、本体と締結手段であるビス等で脱着可能に取付けてある。
【００３６】
以上のように構成された自動販売機のヒンジ装置の動作について説明する。
【００３７】
図９は故障時等の扉を全開した状態を示す断面図であり、締結手段を外すことにより、本体軸固定部材４２が取外され、移動本体軸３９が前方に移動する。連結ヒンジ３５の本体固定部３７も前方に移動して補強部材の角穴４１から外れ、移動本体軸３９を中心に回動可能になり、扉３と連結ヒンジ３５が移動本体軸３９中心に開閉して扉３は全開状態にすることができる。
【００３８】
以上のように、本実施の形態においては、前後移動可能な移動本体軸３９と本体２と固定する本体固定部３７を備えた連結ヒンジ３５と移動本体軸３８と固定する本体軸固定部材４２を備えることにより、修理時は締結手段を解除することにより連結ヒンジ３５の固定が解除され、移動本体軸３９を中心に扉３が開閉して、扉が全開状態にできる。また、連結ヒンジ３５も移動本体軸３９を中心に回動するためヒンジ装置３５自身も本体２の内側に出っ張ることがなく本体２に構成されている部品等を容易に取り外し可能になり、修理作業効率を向上できる。
【００３９】
（実施の形態５）
本発明の実施の形態５における自動販売機のヒンジ装置について図１０〜図１１を参照して説明する。
【００４０】
図１０〜図１１は、本発明の実施の形態５における自動販売機のヒンジ装置の横断面図を示すものである。図１０において、扉３はヒンジ装置４３によって本体２と連結されている。ヒンジ装置４３は扉３と本体１とを連結する連結ヒンジ４４が備えられている。連結ヒンジ４４は本体２の内側に固定されている。一方、連結ヒンジ４４の扉側カール部４５と同位置にくるように扉軸受け部４６が取付けられており、同様に、回動可能に移動扉回動軸４７で軸止されている。扉軸受け部４６は扉３を閉めた状態に扉３が前に移動するような長穴４８が設けている。通常仕様状態では移動扉回動軸４７は移動しないよう軸固定部材４９で固定されており、軸固定部材４８は締結手段であるビス等で脱着可能に取付けてある。
【００４１】
以上のように構成された自動販売機のヒンジ装置の動作について説明する。図１１は扉３の開閉時状態を示す断面図であり、通常の扉３の開時（2点鎖線で示す）に軸固定部材４８の締結手段を解除して取外すことにより、扉回動軸２０が移動可能になりこの状態で扉３の開放時に自動販売機１の前方から押すと扉３全体が奥側に移動することができる。
【００４２】
以上のように、本実施の形態においては、連結ヒンジ４４の扉結合を回転かつ移動可能にする扉軸受け部４６を備えたことにより、修理時は締結手段を解除して軸固定部材４８を取外すことにより、扉３開放時に扉３全体を自動販売機１の奥側に移動させることが可能にでき、本体２の内側に扉３が出っ張ることがなく本体２に構成されている部品等を容易に取り外し可能になり、修理作業効率を向上できる。
【００４３】
（実施の形態６）
本発明の実施の形態６における自動販売機のヒンジ装置について図１２〜図１３を参照して説明する。
【００４４】
図１２において、扉３には実施の形態１〜５のいずれかヒンジ装置によって本体２と連結されている。ヒンジ装置の下部（自動販売機１の上下中央部）にも扉３と本体２を補助ヒンジ装置５０にて連結されている。補助ヒンジ装置５０は扉２と本体１とを連結する補助連結ヒンジ５１が備えられている。補助連結ヒンジ５１の扉３側にカール部５２が備えられている。本体２側には本体固定部５３が設けられており、締結手段としてビス等で本他２に遺脱着可能に取り付けられている。補助連結ヒンジ５１の扉側カール部５２と同位置にくるように扉軸受け部５４が取付けられており、同様に、回動可能に扉回動軸５５で軸止されている。補助連結ヒンジ５１の本体２と扉カール５２の間には自動販売機１の内側に湾曲した突出部５６か形成されている。
【００４５】
以上のように構成された自動販売機のヒンジ装置の動作について説明する。図１２は通常の使用状態を示す断面図であり、自動販売機１に販売商品を充填する作業等の扉３を開く際は、扉３の後端部２２が補助連結ヒンジ５１の突出部５６の当接するまで扉回転軸５５を中心に開閉する。突出部５６は開閉時の扉３の後端部２２の回転奇跡２３よりも自動販売機１の内側に来るよう形成されている。通常扉３開閉時は、実施の形態１〜５のいずれかヒンジ装置に合わせて、扉３を開閉する際のヒンジ装置のガタツキ等による扉３の下がり・ガタ等を防止する補助の役目である。
【００４６】
次に、図１３は故障時等の扉を全開した状態を示す断面図であり、締結手段を外すことにより、扉回動軸５５を中心に補助ヒンジ５１が回転することにより、実施の形態１〜５のいずれかヒンジ装置にて扉３を全開状態にすることが可能であり、また、補助連結ヒンジ５１自身も回転することにより、扉３よりも自動販売機１の内側にはみ出さない状態にすることができる。
【００４７】
以上のように、本実施の形態においては、実施の形態１〜５に記載のいずれかのヒンジ装置と合わせ、連結ヒンジの下部（自動販売機１の上下中央部）に本体２側に固定され取外し可能な本体固定部５３と回動可能な扉回転軸５５と突出部５６を有した補助連結ヒンジ５１を備えたことにより、実施の形態１〜５のいずれかヒンジ装置のガタツキ等による扉３の下がり・ガタ等のための扉３の開閉不良を防止すると合わせ、外部からのいたずら等によるドア開け防止をさらに強化できる。一方、締結手段を外すことにより、扉回動軸２０を中心に補助ヒンジ５０が回転することにより、実施の形態１〜５のいずれかヒンジ装置にて扉３を全開状態にすることが可能であり、また、補助連結ヒンジ５１自身も回転することにより、扉３よりも自動販売機１の内側にはみ出さない状態にすることができる。
【産業上の利用可能性】
【００４８】
本発明の自動販売機のヒンジ装置は、外観からはヒンジ装置が見えなくかつ、扉を全開にすることができことより、扉が付いており全開の必要な装置分野にも応用できる。
【図面の簡単な説明】
【００４９】
【図１】第１の実施形態にかかる自動販売機のヒンジ装置の横断面図
【図２】第１の実施形態にかかる自動販売機のヒンジ装置の通常の使用状態を示す断面図
【図３】第１の実施形態にかかる自動販売機のヒンジ装置の故障時等の扉を全開した状態を示す断面図
【図４】第２の実施形態にかかる自動販売機のヒンジ装置の横断面図
【図５】第２の実施形態にかかる自動販売機のヒンジ装置の故障時等の扉を全開した状態を示す断面図
【図６】第３の実施形態にかかる自動販売機のヒンジ装置の横断面図
【図７】第３の実施形態にかかる自動販売機のヒンジ装置の故障時等の扉を全開した状態を示す断面図
【図８】第４の実施形態にかかる自動販売機のヒンジ装置の横断面図
【図９】第４の実施形態にかかる自動販売機のヒンジ装置の故障時等の扉を全開した状態を示す断面図
【図１０】第５の実施形態にかかる自動販売機のヒンジ装置の横断面図
【図１１】第５の実施形態にかかる自動販売機のヒンジ装置の故障時等の扉を全開した状態を示す断面図
【図１２】第６の実施形態にかかる自動販売機のヒンジ装置の横断面図
【図１３】第６の実施形態にかかる自動販売機のヒンジ装置の故障時等の扉を全開した状態を示す断面図
【図１４】従来の自動販売機のヒンジ装置を取付けた自動販売機の正面図
【図１５】従来の自動販売機のヒンジ装置の開閉動作を示す平面図
【符号の説明】
【００５０】
１    自動販売機
２    本体
３    扉
１１    ヒンジ装置
１２    連結ヒンジ
１５    本体結合部
１６    扉結合部
１７    結合部材
１８    本体回転軸
２０    扉回転軸
２１    突出部
２４    ヒンジ装置
２７    回動結合部材
３１    本体当接部
３３    脱着結合部材
３７    本体結合部
３９    移動本体軸
４２    本体軸固定部材
４４    連結ヒンジ
４７    移動扉回動軸
４９    軸固定部材
５１    補助連結ヒンジ
５３    本体固定部
５６    突出部
【図１】
2005182126.tif 000003
【図２】
2005182126.tif 000004
【図３】
2005182126.tif 000005
【図４】
2005182126.tif 000006
【図５】
2005182126.tif 000007
【図６】
2005182126.tif 000008
【図７】
2005182126.tif 000009
【図８】
2005182126.tif 000010
【図９】
2005182126.tif 000011
【図１０】
2005182126.tif 000012
【図１１】
2005182126.tif 000013
【図１２】
2005182126.tif 000014
【図１３】
2005182126.tif 000015
【図１４】
2005182126.tif 000016
【図１５】
2005182126.tif 000017